(57)【要約】【課題】障子を閉めるだけ容易に戸先錠を施錠可能な建具を提供する。【解決手段】開口枠及び戸先框のうちのいずれか一方に設けられ、障子が閉められる際に開口枠及び戸先框のうちの他方と接触して、戸先框を開口枠に対して見込み方向における所定の位置に案内する案内部材を有し、錠受け部材は、障子が閉められる際に錠本体が当接される被当接部と、錠本体が係合される係合部と、を有し、錠本体は、障子を閉めることにより被当接部に当接する当接部と、当接部に被当接部が当接して回動軸を中心に回動し、係合部に係合するフック部と、を有するフック部材を備え、当接部が被当接部に当接する以前に、開口枠及び戸先框のうちの一方に設けられた案内部材に開口枠及び戸先框のうちの他方が接触する。【選択図】図５
2010031584.tif 000002
【特許請求の範囲】
【請求項１】
室内外の境界に設けられる開口枠に取り付けられる錠受け部材と、
当該開口枠内にスライド開閉自在に設けられる障子の戸先框に取り付けられ、前記錠受け部材と係合する錠本体と、を有する戸先錠を備えた建具であって、
前記開口枠及び前記戸先框のうちのいずれか一方に設けられ、前記障子が閉められる際に前記開口枠及び前記戸先框のうちの他方と接触して、前記戸先框を前記開口枠に対して見込み方向における所定の位置に案内する案内部材を有し、
前記錠受け部材は、前記障子が閉められる際に前記錠本体が当接される被当接部と、前記錠本体が係合される係合部と、を有し、
前記錠本体は、
前記障子を閉めることにより前記被当接部に当接する当接部と、前記当接部に前記被当接部が当接して回動軸を中心に回動し、前記係合部に係合するフック部と、を有するフック部材を備え、
前記当接部が前記被当接部に当接する以前に、前記開口枠及び前記戸先框のうちの一方に設けられた前記案内部材に前記開口枠及び前記戸先框のうちの他方が接触することを特徴とする建具。
【請求項２】
請求項１に記載の建具であって、
前記開口枠に前記案内部材が設けられ、
前記当接部が前記被当接部に当接するより先に、前記戸先框は前記案内部材に接触することを特徴とする建具。
【請求項３】
請求項１または請求項２に記載の建具であって、
前記所定の位置は、前記戸先框が案内された後に前記障子を閉める方向に移動されると、前記当接部が前記被当接部に当接されて、前記フック部材が前記係合部に係合する位置であることを特徴とする建具。
【発明の詳細な説明】
【技術分野】
【０００１】
本発明は、開口枠にスライド開閉自在に設けた障子を施錠するため施錠部材を備えた建具に関する。
【背景技術】
【０００２】
開口枠にスライド開閉自在に設けた障子を施錠するための施錠部材を備えた建具としては、たとえば、引き違い障子を施錠するためのクレセント錠を備えた建具が知られている。このような建具に設けられているクレセント錠は、例えば、一方の障子に受け金具が設けられ、他方の障子に回動して前記受け金具と係合するクレセント錠の耳部が設けられており、前記耳部を回動して受け金具と係合することにより、一方の障子と他方の障子とを引き寄せて施錠する（例えば、特許文献１参照）。
【特許文献１】実公昭５８−１１８８１号公報
【発明の開示】
【発明が解決しようとする課題】
【０００３】
障子を施錠するための錠部材としては、障子の戸先側に設けられ縦枠との間にて施錠される戸先錠がある。戸先錠は、クレセント錠のように施錠する操作により障子を見込み方向に引き寄せる作用が小さいため、障子を閉める際の戸先框と縦枠との位置が適正でない場合には施錠することができない虞があるという課題がある。
【０００４】
本発明は、かかる課題に鑑みてなされたものであり、その目的とするところは、障子を閉めるだけ容易に戸先錠を施錠可能な建具を提供することにある。
【課題を解決するための手段】
【０００５】
かかる目的を達成するために本発明の建具は、室内外の境界に設けられる開口枠に取り付けられる錠受け部材と、当該開口枠内にスライド開閉自在に設けられる障子の戸先框に取り付けられ、前記錠受け部材と係合する錠本体と、を有する戸先錠を備えた建具であって、前記開口枠及び前記戸先框のうちのいずれか一方に設けられ、前記障子が閉められる際に前記開口枠及び前記戸先框のうちの他方と接触して、前記戸先框を前記開口枠に対して見込み方向における所定の位置に案内する案内部材を有し、前記錠受け部材は、前記障子が閉められる際に前記錠本体が当接される被当接部と、前記錠本体が係合される係合部と、を有し、前記錠本体は、前記障子を閉めることにより前記被当接部に当接する当接部と、前記当接部に前記被当接部が当接して回動軸を中心に回動し、前記係合部に係合するフック部と、を有するフック部材を備え、前記当接部が前記被当接部に当接する以前に、前記開口枠及び前記戸先框のうちの一方に設けられた前記案内部材に前記開口枠及び前記戸先框のうちの他方が接触することを特徴とする建具である。
【０００６】
このような建具によれば、障子を閉める方向に移動すると、当接部が被当接部に当接する以前に、戸先框又は開口枠が案内部材に接触するので、当接部が被当接部に当接する以前に、案内部材により戸先框の軌道が所定の位置の方向に向けられる。このため、錠受け部材が設けられた開口枠と、錠本体が設けられた戸先框との見込み方向における位置を、当接部が被当接部に当接する以前に合わせることができるので、当接部を被当接部に確実に当接させて、確実に施錠することが可能である。よって、障子を閉める操作をするだけで容易に戸先錠を施錠可能な建具を提供することが可能である。
【０００７】
かかる建具であって、前記開口枠に前記案内部材が設けられ、前記当接部が前記被当接部に当接するより先に、前記戸先框は前記案内部材に接触することが望ましい。
【０００８】
このような建具によれば、障子を閉める方向に移動すると、当接部が被当接部に当接するより先に、戸先框が案内部材に接触するので、当接部が被当接部に当接する際には既に戸先框は案内部材に接触しているため、より早い時点で案内部材により戸先框の軌道が所定の位置の方向に向けられる。このため、錠受け部材が設けられた開口枠と、錠本体が設けられた戸先框との見込み方向における位置を、当接部が被当接部に当接するより先に合わせることができるので、より確実に施錠することが可能である。
【０００９】
かかる建具であって、前記所定の位置は、前記戸先框が案内された後に前記障子を閉める方向に移動されると、前記当接部が前記被当接部に当接され、前記フック部材が前記係合部に係合する位置であることが望ましい。
【００１０】
このような建具によれば、戸先框が案内された後には、さらに障子が閉める方向に移動されると、被当接部が当接部に当接され、フック部材が係合部に係合する位置に配置される。このため、障子を閉める操作をするだけで確実に戸先錠を施錠することが可能な建具を提供することが可能である。
【発明の効果】
【００１１】
本発明によれば、障子を閉めるだけで容易に戸先錠を施錠可能な建具を提供することが可能である。
【発明を実施するための最良の形態】
【００１２】
以下、本発明の一実施形態に係る建具について図を参照して説明する。
【００１３】
本実施形態の建具は、室内外の境界に設けられ、躯体に取り付けられた四方枠と、四方枠に取り付けられて見付け方向に移動してスライド開閉可能な障子を備えた引き戸としての引き違い窓を例に挙げて説明する。本実施形態の障子と縦枠との間にて施錠可能とする戸先錠と戸先框の見込み方向の位置を案内する案内部材が設けられ、また障子の戸先框の室内側に戸先錠の操作部が設けられている。以下の説明では、建具を室内側から見たときに上下となる方向を上下方向、左右となる方向を左右方向または見付け方向、室内外方向である奥行き方向を見込み方向として示す。また、戸先錠単体及び案内部材単体について説明する場合であっても、戸先錠及び案内部材が建具に取り付けられた状態にて上下を示すこととする。
【００１４】
本実施形態の建具１０は、図１に示すように、室内外の境界に設けられ建物や壁などの開口に取り付けられる開口枠１１と、開口枠１１に設けられ見付け方向に移動自在な内障子１２及び外障子１６とを有している。そして、内障子１２及び外障子１６を構成する框は、中空部を有する樹脂製の成形部材であり、戸先側に位置する戸先框１４、１７と戸先框１４、１７の先端が収容される縦枠１１ａとを施錠するための戸先錠２０が設けられ、戸先框１４、１７の中空部内には、補強材１５（図４）が設けられている。
【００１５】
また、縦枠１１ａには、戸先錠２０より僅かに上方に、縦枠１１ａに先端が収容される内障子１２及び外障子１６の戸先框１４、１７を、縦枠１１ａに対し見込み方向の所定の位置に案内する案内部材１８が設けられている。すなわち、本実施形態の建具１０は、開口枠１１及び戸先框１４、１７のうちの一方としての開口枠１１に案内部材１８が設けられ、障子１２、１６が閉められる際に、開口枠１１及び戸先框１４、１７のうちの他方としての戸先框１４、１７が案内部材１８に接触して、戸先框１４、１７が開口枠１１に対して見込み方向における所定の位置に案内される。
【００１６】
内障子１２側に設けられた戸先錠２０及び案内部材１８と外障子１６側に設けられた戸先錠２０及び案内部材１８とは、左右が反転している構造なので、ここでは図１の右側に示した内障子１２側に設けられた戸先錠２０及び案内部材１８を例に挙げて説明する。
【００１７】
戸先錠２０は、図２に示すように、縦枠１１ａ側に錠受け部材２２が設けられ、内障子１２の戸先框１４に錠受け部材２２と係合する錠本体３０が設けられている。
【００１８】
錠受け部材２２は、ステンレス製の板材であり、縦枠１１ａを介して固定板２８にビス止めされる座板部２４と座板部２４の室外側の端部からほぼ直角に延出され、見付け方向における召し合わせ側に突出する係合壁部２６とを有している。座板部２４にはビス６０が貫通される貫通孔２４ａが設けられ、係合壁部２６には、錠本体３０の後述するフック部３７ｂが係合される係合部としての係合孔２６ｂが設けられている。この錠受け部材２２は、縦枠１１ａの、内障子１２の戸先框１４が入り込む溝部１１ｂに係合壁部２６が内障子１２側に突出するようにビス６０にて固定されている。
【００１９】
錠本体３０は、図３に示すように、戸先框１４の室内に臨む板部（以下、室内板部という）１４ａに固定される基部材３１と、基部材３１と戸先框１４の室内板部１４ａとにそれぞれ設けられた開口３１ｃ、１４ｂを貫通する操作レバー３２と、室内板部１４ａの室外側に設けられる補強板３３と、鉛直方向（戸先框１４の長手方向）に沿って配置される回動軸としての第１軸３４及び第２軸３５と、第１軸３４及び第２軸３５を支持するホルダ３６と、第１軸３４を中心に回動自在に設けられたフック部材３７と、フック部材３７を所定方向に回動すべく付勢するフック部材側バネ３８と、第２軸３５を中心に回動自在に設けられ、フック部材３７の回動を規制するための回動規制部材３９と、回動規制部材３９を付勢する規制部側バネ４０とを有している。ここで、第１軸３４及び第２軸３５は、いずれも係合壁部２６より室内側に軸心が位置するように配置されている。また、第１軸３４は第２軸３５より戸先側に配置されている。
【００２０】
基部材３１は、室内板部１４ａに当接されてビス止めされる概ね直方体状の固定部３１ａと、固定部３１ａの、召し合わせ框側の端から室内方向に向かって突出された室内側壁部３１ｂと、固定部３１ａの上端部側と下端部側とを中央の部位と区画する上下の区画壁部３１ｄと、上側の区画壁部３１ｄより上側の部位、及び、下側の区画壁部３１ｄより下側の部位にそれぞれ設けられビス６０が貫通される固定孔３１ｅと、中央の領域に設けられ操作レバー３２が貫通される開口３１ｃとを有している。上側の区画壁部３１ｄより上側の部位、及び、下側の区画壁部３１ｄより下側の部位には、それぞれビス６０にて錠本体３０が固定された後に、ビス６０を隠すためのカバー３１ｆが取り付けられる。
【００２１】
操作レバー３２は、開口３１ｃに貫通され基部材３１の固定部３１ａより室内側に突出する操作部３２ａと、操作部３２ａと交差する方向に僅か湾曲させて設けられ基部材３１の固定部３１ａの室内側の部位にて案内されて摺動する被ガイド部３２ｂと、室内板部１４ａの開口１４ｂから室外側に突出された作用部３２ｃとを有し、作用部３２ｃの先端には、回動規制部材３９の後述する操作片３９ｂを保持する保持部３２ｄが設けられている。
【００２２】
補強板３３は、室内板部１４ａの室外側面に当接されホルダ３６とともにフック部材３７と回動規制部材３９とをほぼ収容するように、基部材３１の固定部３１ａを固定するビス６０によりホルダ３６とともに共締めされる板状の部材である。補強板３３は、室内板部１４ａの室外側面に当接された際に、開口１４ｂを覆わないように切り欠かれている。
【００２３】
ホルダ３６は、上下方向に間隔を隔てて対向するように配置され、第１軸３４及び第２軸３５が貫通される上下の軸受け板部３６ａ、３６ｂと、上下の軸受け板部３６ａ、３６ｂの室外側の端部間を連結する連結壁部３６ｃと、上側の軸受け板部３６ａの室内側の端部から上方に延出された上側延出部３６ｄと、下側の軸受け板部３６ｂの室内側の端部から下方に延出された下側延出部３６ｅと、を有している。
【００２４】
上下の軸受け板部３６ａ、３６ｂの、図３における右側すなわち戸先側の端部には、上側の軸受け板部３６ａから下方に垂設され、また、下側の軸受け板部３６ｂから立設されて、フック部材側バネ３８によるフック部材３７の回動を規制する回動規制片３６ｆが設けられている。上側延出部３６ｄ及び下側延出部３６ｅには、補強板３３に当接されてビス６０が螺合されるビス孔３６ｇが形成されている。
【００２５】
フック部材３７の回動軸となる第１軸３４は、上側の軸受け板部３６ａの上方から挿通され、フック部材側バネ３８、フック部材３７、下側の軸受け板部３６ｂを貫通して、下側の軸受け板部３６ｂの下でＥリング６２が嵌め込まれて支持されている。回動規制部材３９の回動軸となる第２軸３５は、上側の軸受け板部３６ａの上方から挿通され、回動規制部材３９、回動規制部材側バネ４０、下側の軸受け板部３６ｂを貫通して、下側の軸受け板部３６ｂの下でＥリング６２が嵌め込まれて支持されている。ホルダ３６に支持された第１軸３４及び第２軸３５は、上下方向（戸先框１４の長手方向）に沿わされるとともに、互いに間隔を隔てて平行をなすように配置されている。
【００２６】
フック部材３７は、図３、図４に示すように、第１軸３４に支持された状態にて、上下方向におけるいずれの位置における水平断面もほぼ同形状に形成されたブロック部材である。フック部材３７は、上方から見た際の水平断面において、第１軸３４が貫通されている本体部３７ａと、第１軸３４より戸先側に、錠受け部材２２の係合孔２６ｂに係合されるフック部３７ｂと、障子を閉める際に錠受け部材２２により押圧される当接部としての押圧部３７ｃとが設けられ、第１軸３４を挟んで、フック部３７ｂ及び押圧部３７ｃと反対側に設けられ、後述する回動規制部材３９が当接される規制時当接部３７ｄ及び解除時当接部３７ｈとが設けられ、第１軸３４が貫通される本体部３７ａと繋がって一体に形成されている。尚、図４は、戸先錠２０の上側に位置する案内部材１８より上方における水平断面を上方から見た状態を示した図であるが、案内部材１８より下方に位置する戸先錠２０を示すべく、案内部材１８を一点鎖線として透かした状態を示している。
【００２７】
フック部３７ｂと押圧部３７ｃとは、本体部３７ａ側にて繋がっている。また、内障子１２が開放されて錠受け部材２２との係合が解除されている状態では、先端側は見込み方向に間隔を隔てて配置され、フック部３７ｂは、縦枠１１ａに設けられた錠受け部材２２の係合壁部２６より室内側に配置され、押圧部３７ｃは、錠受け部材２２の係合壁部２６と見付け方向に並ぶ位置に配置されている。
【００２８】
そして、押圧部３７ｃが、室外側に位置するとともに、第１軸３４を中心にフック部材３７の先端側が室内側に向かって回動するように、フック部材側バネ３８が設けられている。フック部材側バネ３８は、ねじりコイルばねであり、図３に示すように、フック部材３７の上側に配置され、フック部材３７とともに第１軸３４が貫通されており、一方の端部はホルダ３６に、他方の端部はフック部材３７にそれぞれ掛けられている。
【００２９】
回動規制部材３９は、図３、図４に示すように、第２軸３５に支持された状態にて、上下方向におけるいずれの位置における水平断面もほぼ同形状に形成されたブロック部材である。回動規制部材３９は、上方から見た際の水平断面において、第２軸３５が貫通されている本体部３９ａと、第２軸３５より室内側に向かって突出され、操作レバー３２の保持部３２ｄに保持される操作片３９ｂと、第２軸３５より室内側及び戸先側に向かって突出されフック部材３７に当接してフック部材３７の回動を規制する規制部３９ｃとを有している。
【００３０】
そして、回動規制部材３９には、第２軸３５を中心に回動規制部材３９の操作片３９ｂ及び規制部３９ｃが戸先側から室外側に向かって回動するように、規制部材側バネ４０が設けられている。規制部材側バネ４０は、ねじりコイルばねであり、図３に示すように、回動規制部材３９の下側に配置され、回動規制部材３９とともに第２軸３５が貫通されており、一方の端部はホルダ３６に、他方の端部は回動規制部材３９にそれぞれ掛けられている。
【００３１】
このような戸先錠２０は、内障子１２の戸先框１４における戸先側の部位が縦枠１１ａの溝部１１ｂに入り込んで施錠される。戸先框１４側にも縦枠１１ａ側に開放された溝部１４ｃが設けられており、フック部材３７のフック部３７ｂ及び押圧部３７ｃは、溝部１４ｃに向って突出している。そして、戸先框１４が縦枠１１ａの溝部１１ｂに入り込んだ際には、錠受け部材２２が戸先框１４の溝部１４ｃに挿入され、溝部１４ｃ内にて押圧部３７ｃが被当接部２６ａに当接されてフック部材３７が回動し、係合孔２６ｂにフック部３７ｂが係合して施錠される。
【００３２】
戸先框１４は、室内側に臨む室内板部１４ａと、室外側に臨む室外板部１４ｄと、室内板部１４ａと間隔を隔てて配置され溝部１４ｃの室内側の壁部を形成する室内側溝壁部１４ｅと、室外板部１４ｄと間隔を隔てて配置され溝部１４ｃの室外側の壁部を形成する室外側溝壁部１４ｆと、室内板部１４ａと室内側溝壁部１４ｅとを戸先側で繋ぐ室内側戸先壁部１４ｇと、室外板部１４ｄと室外側溝壁部１４ｆとを戸先側で繋ぐ室外側戸先壁部１４ｈと、室内側溝壁部１４ｅと室外側溝壁部１４ｆとを召合わせ側で繋ぐ溝底部１４ｊとを有している。
【００３３】
すなわち、溝部１４ｃは、室内側溝壁部１４ｅと、室外側溝壁部１４ｆと、溝底部１４ｊとで形成されている。そして、内障子１２が閉められる際に、溝部１４ｃに入り込んだ錠受け部材２２にフック部材３７が回動して室内側から係合するように、戸先框１４は、上下方向において戸先錠２０が設けられている部位が切り欠かれている。すなわち、戸先框１４には、室内側戸先壁部１４ｇの一部と、室内側溝壁部１４ｅと、溝底部１４ｊの一部とを切り欠いた切欠部１４ｋが設けられている。
【００３４】
案内部材１８は、樹脂製のブロック状の部材である。錠受け部材２２の上方に設けられ、縦枠１１ａの溝部１１ｂに固定される座部１８ａと、座部１８ａの見込み方向における中央部分であって上下方向に全域において内障子１２側に突出された案内突部１８ｂと、を備えている。
【００３５】
案内突部１８ｂの先端側（戸先框１４側）の部位は、先端に向かって見込み方向の幅が狭くなるように室内側及び室外側の角部にテーパ部１８ｃが設けられ、その先端は溝部１１ｂを形成している縦枠１１ａの先端とほぼ同じ位置まで突出されている。また、案内部材１８は、内障子１２が閉められて戸先錠２０が施錠された状態で、戸先框１４の室内側戸先壁部１４ｇと室外側戸先壁部１４ｈとが、案内突部１８ｂの両脇に位置する座部１８ａに当接され、案内突部１８ｂの先端と溝底部１４ｊとの間には空隙が形成されるように構成されている。
【００３６】
補強材１５は、見込み方向に延びる底片１５ａと、底片１５ａの室外側端部から戸先側（縦枠１１ａ側）へ延びる室外側片１５ｂと、底片１５ａの室内側端部から戸先側（縦枠１１ａ側）へ延びる室内側片１５ｃと、を有し、水平断面形状がコの字状をなす金属製の部材である。
【００３７】
上記錠本体３０を構成する部材は、図４に示すように、戸先框１４の中空部内に設けられた補強材１５によって区画された空間を利用して配置されている。本実施形態の建具１０では、第２軸３５の軸心が、補強材１５の底片１５ａと室外側片１５ｂと室内側片１５ｃとで区画された空間の中に配置されている。
【００３８】
このように、戸先框１４内に設けた断面コの字形状の補強材１５内の空間を利用して第２軸３５の軸心を配置することにより、戸先框１４の見付け寸法をより小さくすることが可能である。
【００３９】
また、その他の部材、例えば図４に示すように、この断面コの字形状の補強材１５にて区画された空間内をフック部材３７や回動規制部材３９の回動範囲として利用したり、この空間内に規制部材側バネ４０を配置したりすることによって、戸先框１４の見付け寸法を小さくすることが可能である。
【００４０】
次に、内障子１２を移動させた際の案内部材１８の機能と戸先錠２０が施錠される様子について図５を用いて説明する。尚、図５においても図４と同様に、案内部材１８より下方に位置する戸先錠２０を示すべく、案内部材１８を一点鎖線として透かした状態を示している。
【００４１】
図５（ａ）に示すように、錠受け部材２２と錠本体３０との係合が解除されている状態であって、縦枠１１ａと戸先框１４とが見付け方向（内障子１２のスライド方向）に離れて位置する状態では、フック部材３７は、先端が室内側に回動する方向にフック部材側バネ３８により付勢され、フック部３７ｂがホルダ３６の上下の延出部３６ｆに当接されることにより、姿勢が維持されている。
【００４２】
また、回動規制部材３９は規制部材側バネ４０に付勢されて、フック部材３７の解除時当接部３７ｈに当接している。このとき、回動規制部材の操作片３９ｂは室内側に向けられており、操作レバー３２の保持部３２ｄと係合している。また、このとき、内障子１２は下枠に設けられたレール及び上枠にガイドされているだけなので、縦枠１１ａに対して見込み方向の位置は正確に位置決めされていない。
【００４３】
図５（ａ）の状態から内障子１２を閉めると、まず、図５（ｂ）に示すように、戸先框１４の室内側溝壁部１４ｅと室内側戸先壁部１４ｇとの角部が、案内部材１８の室内側のテーパ部１８ｃに接触する。このとき、フック部材３７の押圧部３７ｃは、錠受け部材２２の被当接部２６ａに当接していないが、戸先框１４の先端は縦枠１１ａの溝部１１ｂに入り始めている。
【００４４】
図５（ｂ）の例では、内障子１２が、所定の位置より室外側に位置していたため、戸先框１４の室内側溝壁部１４ｅと室内側戸先壁部１４ｇとの角部が、案内部材１８の室内側のテーパ部１８ｃに接触したが、内障子１２が所定の位置より室内側に位置していた場合には、室外側溝壁部１４ｆと室外側戸先壁部１４ｈとの角部が、案内部材１８の室外側のテーパ部１８ｃと接触する。ここで、所定の位置とは、フック部３７ｂが縦枠１１ａに設けられた錠受け部材２２の係合壁部２６より室内側に位置し、押圧部３７ｃが錠受け部材２２の係合壁部２６（被当接部２６ａ）と見付け方向に並ぶ位置を示している。
【００４５】
そして、さらに内障子１２を縦枠１１ａ側に移動させて閉めると、室内側溝壁部１４ｅと室内側戸先壁部１４ｇとの角部が、案内部材１８の室内側のテーパ部１８ｃに沿って摺動し、戸先框１４が室内側に移動されつつ縦枠１１ａ側に移動される。その後、室内側溝壁部１４ｅが案内部材１８の案内突部１８ｂの室内側の面と対面した後に、図５（ｃ）に示すように、案内部材１８の下方に位置する錠受け部材２２の被当接部２６ａにフック部材３７の押圧部３７ｃが当接される。このとき、案内部材１８の案内突部１８ｂは、戸先框１４の溝部１４ｃに入り込んでいる。
【００４６】
図５（ｃ）の状態から、さらに内障子１２を縦枠１１ａ側に移動させて閉めると、押圧部３７ｃが被当接部２６ａにより見付け方向に押圧されてフック部材３７が第１軸３４を中心に、フック部３７ｂの先端がフック部材側バネ３８の付勢力に抗して室外側に移動するように回動し始める。このとき、フック部材３７の回動に伴ってフック部３７ｂが室外側に移動し始めるとともに、解除時当接部３７ｈは回動規制部材３９の規制部３９ｃの戸先側の面を摺動し始める。その後、解除時当接部３７ｈの規制部３９ｃとの当接位置が、第２軸３５側から規制部３９ｃの先端側に移動していく。
【００４７】
そして、フック部材３７が回動し続けると、フック部３７ｂが係合孔２６ｂと係合する。一方、解除時当接部３７ｈは規制部３９ｃの先端を越え、戸先側の側面から外れると、規制部材側バネ４０の付勢力により、規制部３９ｃの先端が戸先側から室外側に向かう方向に、回動規制部材３９が回動する。回動規制部材３９が回動することにより、規制部３９ｃの先端がフック部材３７の規制時当接部３７ｄに当接される。そして、この状態では、フック部材３７の規制時当接部３７ｄが規制部３９ｃの先端に当接しているため、フック部材３７はフック部材側バネ３８の付勢力による回動が不可能となるため、フック部３７ｂと係合孔２６ｂとの係合が維持された施錠状態となる。このとき、操作レバー３２は、回動規制部材３９の操作片３９ｂの移動に伴って移動され、操作部３２ａが戸先側に移動される。
【００４８】
また、フック部３７ｂが係合孔２６ｂと係合して施錠された状態にて、操作部３２ａを基部材３１の室内側壁部３１ｂ側に移動させることにより、規制部材側バネ４０の付勢力に抗して回動規制部材３９を回動させて、規制部３９ｃと規制時当接部３７ｄとの当接を解除すると、フック部３７ｂの先端がフック部材側バネ３８の付勢力によって回動し、フック部３７ｂと係合孔２６ｂとの係合を解除して容易に解錠することが可能である。
【００４９】
上記実施形態の建具１０によれば、障子１２、１６を閉める方向、すなわち、戸先框１４、１７が縦枠１１ａに近接する方向に、障子１２、１６を移動させると、押圧部３７ｃが被当接部２６ａに当接するより先に、戸先框１４は案内部材１８に接触するので、押圧部３７ｃが被当接部２６ａに当接する際には既に戸先框１４は案内部材１８に接触している。このため、より早い時点で案内部材１８により戸先框１４の軌道を所定の位置の方向に向けることが可能である。このため、錠受け部材２２が設けられた開口枠１１と、錠本体３０が設けられた戸先框１４との見込み方向における位置を、押圧部３７ｃが被当接部２６ａに当接するより先に合わせることができるので、より確実に施錠することが可能である。
【００５０】
上記実施形態においては、押圧部３７ｃが被当接部２６ａに当接するより先に、戸先框１４が案内部材１８に接触する例について説明したが、押圧部３７ｃが被当接部２６ａに当接するタイミングと、戸先框１４が案内部材１８に接触するタイミングとが同時であっても良い。すなわち、障子１２、１６を閉める方向に移動させると、押圧部３７ｃが被当接部２６ａに当接する以前に、戸先框１４、１７は案内部材１８に接触することとしても良い。この場合には、押圧部３７ｃが被当接部２６ａに当接する以前に、案内部材１８により戸先框１４の軌道が所定の位置の方向に向けられる。このため、錠受け部材２２が設けられた開口枠１１と、錠本体３０が設けられた戸先框１４との見込み方向における位置を、押圧部３７ｃが被当接部２６ａに当接する以前に合わせることができるので、確実に施錠することが可能である。よって、障子１２、１６を閉める操作をするだけで容易に戸先錠２０を施錠可能な建具１０を提供することが可能である。
【００５１】
また、案内部材１８により戸先框１４が案内される所定の位置は、戸先框１４が案内された後に障子１２、１６を閉める方向に移動させると、被当接部２６ａが押圧部３７ｃに当接され、フック部材３７が係合孔２６ｂに係合する位置である。このため、戸先框１４が案内部材１８により案内された後には、障子１２、１６を閉める方向に移動させると、押圧部３７ｂが被当接部２６ａに当接され、フック部材３７が係合孔２６ｂに係合する位置に配置されるので、障子１２、１６を閉める操作をするだけで確実に戸先錠２０を施錠することが可能な建具１０を提供することが可能である。
【００５２】
上記実施形態においては、障子を構成する框を樹脂製としたが、これに限るものではなく、例えば、アルミニウム製の押し出し成形部材で框が構成されていても良い。
【００５３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００５４】
例えば、上記実施形態においては、引き違い窓を例にあげてが、これに限ることなく開口枠内に障子を水平方向にスライド開閉自在に設けた片引き窓、開口枠内に障子を垂直方向にスライド開閉自在に設けたシングルハングタイプの上げ下げ窓やダブルハングタイプの上げ下げ窓などであっても良い。
【００５５】
また、上記実施形態においては、案内部材１８を開口枠１１（縦枠１１ａ）側に設けたが、案内部材１８を障子１２、１６（戸先框１４、１７）側に設けてもよく、その場合には、障子１２、１６を閉める際に案内部材１８が開口枠１１に当接することで、障子１２、１６が開口枠１１（縦枠１１ａ）に対し見込み方向の所定の位置に案内されることになる。
【００５６】
また、上記実施形態においては、戸先錠２０より僅かに上方に案内部材１８を設けたがこれに限ることなく、戸先錠２０より僅かに下方に案内部材１８を設けても良いし、戸先錠２０の上方及び下方の両方に案内部材１８を設けても良い。更に、案内部材１８は戸先錠２０又は錠受け部材２２と一体的に設けても良い。
【図面の簡単な説明】
【００５７】
【図１】本実施形態に係る建具を室内側から見た図である。
【図２】縦枠に設けられる錠受け部材及び案内部材を示す斜視図である。
【図３】戸先框に設けられる錠本体を示す分解斜視図である。
【図４】縦枠、戸先框、戸先錠、案内部材の配置を説明するための水平断面図である。
【図５】施錠時の動作を説明するための図である。
【符号の説明】
【００５８】
１０  建具、１１  開口枠、１１ａ  縦枠、１２  内障子、１４  戸先框、
１８  案内部材、２０  戸先錠、２２  錠受け部材、２６  係合壁部、
２６ａ  被当接部、２６ｂ  係合孔、３０  錠本体、３４  第１軸、
３７  フック部材、３７ｂ  フック部、３７ｃ  押圧部
【図１】
2010031584.tif 000003
【図２】
2010031584.tif 000004
【図３】
2010031584.tif 000005
【図４】
2010031584.tif 000006
【図５】
2010031584.tif 000007